【手続補正書】
【提出日】平成19年2月20日(2007.2.20)
【手続補正１】
【補正対象書類名】明細書
【補正対象項目名】特許請求の範囲
【補正方法】変更
【補正の内容】
【特許請求の範囲】
【請求項１】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層の電極と前記第２電極層の電極とを同電位にした状態で前記光導電層に前露光光を照射する空読みを行ない、該空読みを停止させた後、前記記録を行なうことを特徴とする画像情報記録読取方法。
【請求項２】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層の電極と前記第２電極層の電極とを同電位にした状態で前記読取用光導電層に前露光光を照射する空読みを行ない、該空読みを停止させた後、前記記録を行なうことを特徴とする画像情報記録読取方法。
【請求項３】
前記前露光光のエネルギ密度が１００Ｃｄ／ｍ2 以上であり、該前露光光の照射時間が１ｍｓｅｃ以上１ｓｅｃ以下であることを特徴とする請求項１または２記載の画像情報記録読取方法。
【請求項４】
前記空読みに先立って、前記第１電極層の電極と前記第２電極層の電極との間に所定の大きさおよび所定の極性の電圧を所定の時間だけ印加する空電圧印加を行なうことを特徴とする請求項１から３いずれか１項記載の画像情報記録読取方法。
【請求項５】
前記静電潜像の記録ごとに、該記録に先立って、前記空電圧印加とそれに続く前記空読みを所定回数だけ繰り返すことを特徴とする請求項４記載の画像情報記録読取方法。
【請求項６】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層の電極と前記第２電極層の電極との間に所定の大きさおよび所定の極性の電圧を所定の時間だけ印加する予備空電圧印加と前記第１電極層の電極と前記第２電極層の電極とを同電位にした状態で前記光導電層に前露光光を照射する予備空読みとを所定回数だけ繰り返す予備処理を行ない、該予備処理を停止させた後、前記記録と読取りを複数回連続して行なうことを特徴とする画像情報記録読取方法。
【請求項７】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層の電極と前記第２電極層の電極との間に所定の大きさおよび所定の極性の電圧を所定の時間だけ印加する予備空電圧印加と前記第１電極層の電極と前記第２電極層の電極とを同電位にした状態で前記読取用光導電層に前露光光を照射する予備空読みとを所定回数だけ繰り返す予備処理を行ない、該予備処理を停止させた後、前記記録と読取りを複数回連続して行なうことを特徴とする画像情報記録読取方法。
【請求項８】
前記前露光光のエネルギ密度が１００Ｃｄ／ｍ2 以上であり、該前露光光の照射時間が１ｍｓｅｃ以上１ｓｅｃ以下であることを特徴とする請求項６または７記載の画像情報記録読取方法。
【請求項９】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して、画像情報の記録と読取りを行なう画像情報記録読取装置において、
前記第１電極層の電極と前記第２電極層の電極との間に所定の電圧を印加する電圧印加手段と、前記光導電層に前露光光を照射する前露光手段と、前記第１電極層の電極と前記第２電極層の電極とを同電位にした状態で前記光導電層に前記前露光光を照射させて空読みを行なわせ、該空読みを停止させた後、前記第１電極層の電極と前記第２電極層の電極との間に記録用電圧を印加した状態で前記記録用の電磁波を前記第１電極層に照射させて前記静電潜像の記録を行なわせるように前記前露光手段と前記電圧印加手段とを制御する制御手段とを備えたことを特徴とする画像情報記録読取装置。
【請求項１０】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して、画像情報の記録と読取りを行なう画像情報記録読取装置において、
前記第１電極層の電極と前記第２電極層の電極との間に所定の電圧を印加する電圧印加手段と、前記読取用光導電層に前露光光を照射する前露光手段と、前記第１電極層の電極と前記第２電極層の電極とを同電位にした状態で前記読取用光導電層に前記前露光光を照射させて空読みを行なわせ、該空読みを停止させた後、前記第１電極層の電極と前記第２電極層の電極との間に記録用電圧を印加した状態で前記記録用の電磁波を前記第１電極層に照射させて前記静電潜像の記録を行なわせるように前記前露光手段と前記電圧印加手段とを制御する制御手段とを備えたことを特徴とする画像情報記録読取装置。
【請求項１１】
前記前露光手段が、前記前露光光のエネルギ密度を１００Ｃｄ／ｍ2 以上、前記前露光光の照射時間を１ｍｓｅｃ以上１ｓｅｃ以下とするものであることを特徴とする請求項９または１０記載の画像情報記録読取装置。
【請求項１２】
前記制御手段が、前記空読みに先立って、前記第１電極層の電極と前記第２電極層の電極との間に所定の大きさおよび所定の極性の電圧を所定の時間だけ印加する空電圧印加が行なわれるように前記電圧印加手段を制御するものであることを特徴とする請求項９から１１いずれか１項記載の画像情報記録読取装置。
【請求項１３】
前記制御手段が、前記静電潜像の記録ごとに、該記録に先立って、前記空電圧印加とそれに続く前記空読みを所定回数だけ繰り返すように前記前露光手段および前記電圧印加手段を制御するものであることを特徴とする請求項１２記載の画像情報記録読取装置。
【請求項１４】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して画像情報の記録と読取りを行なう画像情報記録読取装置において、
前記第１電極層の電極と前記第２電極層の電極との間に所定の電圧を印加する電圧印加手段と、前記光導電層に前露光光を照射する前露光手段と、前記第１電極層の電極と前記第２電極層の電極との間に所定の大きさおよび所定の極性の電圧を所定の時間だけ印加する予備空電圧印加と、前記第１電極層の電極と前記第２電極層の電極とを同電位にした状態で前記光導電層に前露光光を照射する予備空読みを所定回数だけ繰り返す予備処理を行なわせ、該予備処理を停止させた後、前記記録と読取りを複数回連続して行なわせるように前記前露光手段と前記電圧印加手段とを制御する制御手段とを備えたことを特徴とする画像情報記録読取装置。
【請求項１５】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して画像情報の記録と読取りを行なう画像情報記録読取装置において、
前記第１電極層の電極と前記第２電極層の電極との間に所定の電圧を印加する電圧印加手段と、前記読取用光導電層に前露光光を照射する前露光手段と、前記第１電極層の電極と前記第２電極層の電極との間に所定の大きさおよび所定の極性の電圧を所定の時間だけ印加する予備空電圧印加と、前記第１電極層の電極と前記第２電極層の電極とを同電位にした状態で前記読取用光導電層に前露光光を照射する予備空読みを所定回数だけ繰り返す予備処理を行なわせ、該予備処理を停止させた後、前記記録と読取りを複数回連続して行なわせるように前記前露光手段と前記電圧印加手段とを制御する制御手段とを備えたことを特徴とする画像情報記録読取装置。
【請求項１６】
前記前露光手段が、前記前露光光のエネルギ密度を１００Ｃｄ／ｍ2 以上、前記前露光光の照射時間を１ｍｓｅｃ以上１ｓｅｃ以下とするものであることを特徴とする請求項１４または１５記載の画像情報記録読取装置。